(57)【要約】【課題】様々なメータ画像を表示する車載機において、予め記憶すべき画像を少なくしつつ、多種類のメータを表示可能とする。【解決手段】測定値を表示する車載機であって、円弧状に目盛りを配置した目盛り盤の目盛り盤画像と、目盛りの全域に相当する領域に警戒ゾーン画像を配置した警戒ゾーン画像テンプレートとを記憶する記憶手段と、表示するメータの種類を設定するメータ種類設定手段と、表示するメータの種類に応じて、描画すべき警戒ゾーンに対応する目盛り盤上の角度範囲を求める角度範囲特定手段と、警戒ゾーン画像テンプレートから、角度範囲特定手段で特定した角度範囲に対応する警戒ゾーン画像を取得する警戒ゾーン画像取得手段と、警戒ゾーン画像取得手段で取得した警戒ゾーン画像を、目盛り盤画像に重ねてメータ画像を生成するメータ画像生成手段と、前記メータ画像を表示する表示手段と、を備える。【選択図】図３
2009101749.tif 000002
【特許請求の範囲】
【請求項１】
測定値を表示する車載機であって、
円弧状に目盛りを配置した目盛り盤の目盛り盤画像と、前記目盛りの全域に相当する領域に警戒ゾーン画像を配置した警戒ゾーン画像テンプレートと、を記憶する記憶手段と、
表示するメータの種類を設定するメータ種類設定手段と、
表示するメータの種類に応じて、描画すべき警戒ゾーンに対応する前記目盛り盤上の角度範囲を求める角度範囲特定手段と、
前記警戒ゾーン画像テンプレートから、前記角度範囲特定手段で特定した角度範囲に対応する警戒ゾーン画像を取得する警戒ゾーン画像取得手段と、
前記警戒ゾーン画像取得手段で取得した警戒ゾーン画像を、前記目盛り盤画像に重ねてメータ画像を生成するメータ画像生成手段と、
前記メータ画像を表示する表示手段と、
を備えることを特徴とする車載機。
【請求項２】
請求項１に記載の車載機であって、
前記記憶手段は、
前記メータの種類と、前記警戒ゾーンの角度範囲と、を対応付けたメータ情報と、
角度範囲と、その角度範囲で特定される領域に属する前記警戒ゾーン画像の領域と、を対応付けた画像領域特定テーブルと、を記憶し、
前記角度範囲特定手段は、
前記メータ情報を用いて、前記メータ種類設定手段で設定したメータの種類に対応する警戒ゾーンの角度範囲を特定し、
前記警戒画像取得手段は、
前記画像領域特定テーブルを用いて、前記角度範囲特定手段で特定した角度範囲で特定される領域に属する領域の警戒ゾーン画像を取得する
ことを特徴とする車載機。
【請求項３】
請求項２に記載の車載機であって、
前記記憶手段は、
前記メータの種類と、前記目盛り盤上での目盛り値の範囲と、前記警戒ゾーンの目盛り値の範囲と、を対応付けたメータ情報を記憶し、
前記車載機は、
表示する扇形の目盛り盤の中心角を取得する手段と、
当該目盛り盤の中心角と、表示するメータの種類に対応する、前記目盛り盤上での目盛り値の範囲と、前記警戒ゾーンの目盛り値の範囲と、を用いて、前記警戒ゾーンの角度範囲を求める手段とを備える
ことを特徴とする車載機。
【請求項４】
請求項１〜３のいずれか一項に記載の車載機であって、さらに、
前記画像領域特定テーブルを生成し、前記記憶手段に記憶させる手段を備える
ことを特徴とする車載機。
【請求項５】
測定値を表示する車載機のメータ表示方法であって、
前記車載機は、
円弧状に目盛りを配置した目盛り盤の目盛り盤画像と、前記目盛りの全域に相当する領域に警戒ゾーン画像を配置した警戒ゾーン画像テンプレートとを記憶する記憶手段を備え、
表示するメータの種類を設定するメータ種類設定ステップと、
表示するメータの種類に応じて、描画すべき警戒ゾーンに対応する前記目盛り盤上の角度範囲を求める角度範囲特定ステップと、
前記警戒ゾーン画像テンプレートから、前記角度範囲特定ステップで特定した角度範囲に対応する警戒ゾーン画像を取得する警戒ゾーン画像取得ステップと、
前記警戒ゾーン画像取得ステップで取得した警戒ゾーン画像を、前記目盛り盤画像に重ねてメータ画像を生成するメータ画像生成ステップと、
前記メータ画像を表示する表示ステップと、
を行うことを特徴とする車載機のメータ表示方法。
【発明の詳細な説明】
【技術分野】
【０００１】
本発明は、車載機に関する。
【背景技術】
【０００２】
車載用のメータ（計測器）として、速度メータ、タコメータ、ブーストメータ、水温メータ、残燃料メータなどがある。また、特許文献１には、液晶ディスプレイなどの画像表示装置を備えた車載機が、これらのメータを画像により表示する技術が開示されている。このような車載機は、機械式のメータの目盛り盤を模した画像に、センサから取得した測定値を示す指針画像を重ねて、メータ画像を生成し、表示装置に表示する。
【０００３】
【特許文献１】特開平８−２４０４４７号公報
【発明の開示】
【発明が解決しようとする課題】
【０００４】
ところで、メータの所定の目盛りの範囲には、通常、レッドゾーンなどと呼ばれる警戒ゾーンが描画されている。警戒ゾーンの範囲は、メータの種類によって異なるため、従来の方法では、メータの種類の数の画像を予め記憶して必要がある。しかし、車載機のように、記憶容量が少ない装置では、画像を記憶するために十分な記憶容量を確保できず、表示可能なメータの数が制限される。
【０００５】
本発明の目的は、様々なメータ画像を表示する車載機において、予め記憶すべき画像を少なくしつつ、多種類のメータを表示可能とすることにある。
【課題を解決するための手段】
【０００６】
上記課題を解決すべく、本発明のナビゲーション装置は、多種のメータに適用可能な警告ゾーン画像テンプレートを備える。
【０００７】
例えば、本発明は、測定値を表示する車載機であって、円弧状に目盛りを配置した目盛り盤の目盛り盤画像と、前記目盛りの全域に相当する領域に警戒ゾーン画像を配置した警戒ゾーン画像テンプレートとを記憶する記憶手段と、表示するメータの種類を設定するメータ種類設定手段と、表示するメータの種類に応じて、描画すべき警戒ゾーンに対応する前記目盛り盤上の角度範囲を求める角度範囲特定手段と、前記警戒ゾーン画像テンプレートから、前記角度範囲特定手段で特定した角度範囲に対応する警戒ゾーン画像を取得する警戒ゾーン画像取得手段と、前記警戒ゾーン画像取得手段で取得した警戒ゾーン画像を、前記目盛り盤画像に重ねてメータ画像を生成するメータ画像生成手段と、前記メータ画像を表示する表示手段と、を備える。
【発明を実施するための最良の形態】
【０００８】
以下に、本発明の一実施形態について、図面を参照して説明する。
【０００９】
なお、本実施形態は、図８に示すように、扇型の円弧上に目盛りが刻まれたメータ画像３００を表示するものである。メータ画像３００のうち、目盛り３０１が刻まれた、メータの背景部分を「目盛り盤」という。また、扇形である目盛り盤の中心Ｏを「目盛り盤中心」という。また、目盛り３０１に付された値３０２を「目盛り値」という。目盛り値３０２は、時計回り方向に増加するものとする。また、目盛り値の範囲のうちで警戒すべき範囲を示す部分３０４を「警戒ゾーン」という。
【００１０】
また、本実施形態で表示されるメータは、測定値を示すために、目盛り盤上に、「測定値指示画像３０３」を描画する。測定値指示画像３０３は、目盛り盤中心Ｏを中心位置とした所定の幅を備えた円弧状の画像であり、測定値３０５の増加とともに、目盛りの最小値の部分から徐々に時計回り方向に広がる。測定値指示画像３０３と背景画像との境界３０６により、測定値３０５が示される。
【００１１】
図１は、本発明の一実施形態が適用された車載機１００の概略構成図である。以下、必要に応じて他の図面を参照しながら説明する。
【００１２】
図１に示すように車載機１００は、演算装置１１０と、入力装置１２０と、記憶装置１３０と、表示装置１４０とを備えている。
【００１３】
入力装置１２０は、ユーザからの要求を受け付けるための装置であり、キーボード、ハードスイッチ、タッチパネルなどで構成される。
【００１４】
表示装置１４０は、ユーザに対して表示すべき情報を画像により出力する装置であり、液晶ディスプレイ装置などで構成される。
【００１５】
記憶装置１３０は、車載機１００で用いる様々な情報を記憶するための装置である。記憶装置１３０は、不揮発性メモリで構成することができる。記憶装置１３０には、各種の処理のためのプログラムのほか、警戒ゾーン画像テンプレート２１０と、画像領域特定テーブル２２０と、メータ情報データベース（ＤＢ）２３０と、目盛り盤データベース（ＤＢ）２４０とが格納される。
【００１６】
目盛り盤ＤＢ２４０は、目盛り盤を規定する情報を含んでいる。図２は、目盛り盤ＤＢ２４０の構成を示す図である。目盛り盤ＤＢ２４０は、メータサイズ２４１ごとに、目盛り盤画像２４５と、開始角２４６と、中心角２４７とを含んでいる。目盛り盤画像２４５は、図示するように中心位置Ｏを基準とした円弧上に目盛り３０１が付された、メータの背景となる画像である。
【００１７】
開始角２４６は、基準方向（本実施形態では、６時の方向）を基準とした、目盛り３０１の最小値の位置の方向の角度θｉである。中心角２４７は、扇形の目盛り盤の中心角θａであり、目盛りの最小値の位置から最大値の位置までの方向の角度差である。本実施形態では、「大」サイズのメータにおいて、開始角θｉは６０°であり、中心角θａは２４０°である。「中」サイズのメータにおいて、開始角θｉは９０°であり、中心角θａは１８０°である。
【００１８】
警戒ゾーン画像テンプレート２１０は、目盛り盤上に描画する警戒ゾーン画像の元となるテンプレートである。後述するように、警戒ゾーン画像テンプレート２１０から、表示すべきメータの種類に応じて所定範囲の画像が切り取られ、目盛り盤に重ねて描画され、メータ画像３００が生成される。
【００１９】
図３は、メータ画像の生成手順を示す図である。警戒ゾーン画像テンプレート２１０は、図３に示すように、目盛りの最小値から最大値までのどの部分の警戒ゾーンでも描画できるように、目盛り範囲の全域に相当する領域に渡って配色された画像である。なお、警戒ゾーンは、レッドゾーンとも呼ばれるが、その配色に制限はない。警戒領域の性質によっては、イエローゾーンと呼ばれることもあることから、黄色の場合もある。また、警戒ゾーン画像テンプレート２１０は、画像の形状を規定するものであればよく、目盛り盤上に描画する際に、色が決定されてもよい。警戒ゾーン画像テンプレート２１０は、予め記憶装置１３０に記憶されている。
【００２０】
画像領域特定テーブル２２０は、画像領域と角度とを対応つけたテーブルであり、目盛り盤に描画する警戒ゾーン画像を警戒ゾーン画像テンプレート２１０から取得する際に用いられる。画像領域特定テーブル２２０には、図４に示すように、目盛り盤画像に相当する領域（警告ゾーン画像テンプレート２１０に相当する領域でもある）の各位置について、角度値が格納されている。この角度値は、後述するように、画像領域特定テーブル生成部１１３により格納される。
【００２１】
メータ情報ＤＢ２３０は、メータの種類ごとに、その態様に関する情報を含んでいる。メータ情報ＤＢには、図５に示すように、メータの種類２３１ごとに、目盛りの盤全体（警戒ゾーンも含む）の目盛り値範囲（最小値、最大値）２３２と、警戒ゾーンの目盛り値範囲（最小値、最大値）２３３と、警戒ゾーンの角度範囲（最小値、最大値）２３４と、が対応付けて格納されている。
【００２２】
目盛り盤全体の目盛り値範囲２３２の最小値と最大値は、メータ画像において、目盛りの最小値又は最大値として表示される値である。この最小値と最大値との間の所定の範囲に、警戒ゾーンが含まれることになる。警戒ゾーンの目盛り値範囲２３３の最小値と最大値は、目盛り盤に重ねて描画される警戒ゾーンの目盛り上の最小値と最大値である。
【００２３】
なお、警戒ゾーンの角度範囲２３４は、目盛り盤の中心角２４７（目盛り盤ＤＢ２４０に格納されている。例えば、２４０°）と、目盛り盤全体の目盛り値範囲（最小値、最大値）２３２と、警戒ゾーンの目盛り値範囲（最小値、最大値）２３３と、から算出することができる。したがって、警戒ゾーンの角度範囲２３４は、予め記憶されていなくてもよく、後述する警戒ゾーン範囲特定部１１４により算出され格納されてもよい。
【００２４】
図１に戻って説明する。演算装置１１０は、様々な処理を行う中心的ユニットである。演算装置１１０は、数値演算及び各デバイスを制御するといった様々な処理を実行するＣＰＵ(Central Processing Unit)と、記憶装置１３０から読み出したプログラム、データなどを格納するメモリ、外部との情報の送受を行うインターフェースとを備えるコンピュータシステムにより達成される。なお、演算装置１１０は、各処理を専用に行う専用のＤＳＰ（Digital Signal Processor）を備えていてもよい。また、描画用メモリ（ＶＲＡＭ）を備えていてもよい。
【００２５】
演算装置１１０は、その特徴的な機能部として、主制御部１１１と、メータ種類設定部１１２と、画像領域特定テーブル生成部１１３と、警戒ゾーン範囲特定部１１４と、警戒ゾーン画像取得部１１５と、測定値取得部１１６と、メータ画像生成部１１７と、表示処理部１１８と、とを備えている。
【００２６】
主制御部１１１は、各機能部の制御を行う。例えば、入力装置１２０から入力されたユーザの要求を受け付け、要求に応じた処理が行われるように各機能部を制御する。
【００２７】
メータ種類設定部１１２は、表示すべきメータの種類を設定する処理を行う。具体的には、ユーザから入力装置１２０を介して入力された、表示すべきメータの種類、サイズに従って、表示装置１４０に表示するメータの種類、サイズを設定し、警戒ゾーン範囲特定部１１４やメータ画像生成部１１７に通知する。
【００２８】
画像領域特定テーブル生成部１１３は、画像領域特定テーブル２２０を生成する処理を行う。具体的には、画像領域特定テーブル生成部１１３は、図４に示すように、目盛り盤中心Ｏを基準として、基準方向Ｖｒを開始位置とし、直線Ｌを、目盛り盤中心Ｏを中心に、時計回りにずらしていく。そして、直線Ｌ上の画像上の位置に、その時点のずらし角度を格納していく。角度を３６０°までずらしていき、画像領域特定テーブル２２０を完成させ、記憶装置１３０に記憶する。
【００２９】
警戒ゾーン範囲特定部１１４は、メータ情報２３０を検索して、メータ種類設定部１１２により設定された、表示すべきメータの種類２３１に対応する警戒ゾーンの角度範囲２３４を特定する。なお、警戒ゾーンの角度範囲２３４が予め記憶されている場合には、その値を読み込む。一方、記憶されていない場合は、警戒ゾーン範囲特定部１１４は、警戒ゾーンの角度範囲２３４を、目盛り盤の中心角θａ（例えば、２４０°）２４７と、目盛りの開始角θｉ（例えば、６０°）２４６と、目盛り盤全体の目盛り値範囲（最小値、最大値）２３２と、警戒ゾーンの目盛り値範囲（最小値、最大値）２３３と、から算出する。具体的には、下記式を用いて算出する。なお、警戒ゾーン範囲特定部１１４は、目盛り盤の中心角θａと、目盛りの開始角θｉとを、目盛り盤ＤＢ２４０から取得する。
【００３０】
（警戒ゾーンの角度範囲の最小値）＝（目盛り盤の中心角θａ）・｛（警戒ゾーンの目盛り値の最小値）−（目盛り盤全体の目盛り値の最小値）｝／｛（目盛り盤全体の目盛り値の最大値）−（目盛り盤全体の目盛り値の最小値）｝＋（目盛りの開始角θｉ）
（警戒ゾーンの角度範囲の最大値）＝（目盛り盤の中心角θａ）・｛（警戒ゾーンの目盛り値の最大値）−（目盛り盤全体の目盛り値の最小値）｝（／｛（目盛り盤全体の目盛り値の最大値）−（目盛り盤全体の目盛り値の最小値）｝＋（目盛りの開始角θｉ）。
【００３１】
警戒ゾーン画像取得部１１５は、警戒ゾーン範囲特定部１１４で特定された角度範囲と、画像領域特定テーブル２２０とに基づいて、警戒ゾーン画像テンプレート２１０から、描画に用いる警告ゾーン画像を取得する。具体的には、画像領域特定テーブル２２０を参照して、警戒ゾーン範囲特定部１１４で特定された角度範囲の最小値から最大値までに含まれる角度値の画像上の領域を特定する。そして、警戒ゾーン画像テンプレート２１０の中から、特定した領域に含まれる画像を、表示すべき警戒ゾーン画像２１２として取得する（図３、図４参照）。
【００３２】
測定値取得部１１６は、メータ種類設定部１１２に設定された、表示するメータの種類に対応する測定対象の測定値（センサ値）を取得する。例えば、車内ＬＡＮやＥＣＵ（エンジン制御装置）から、車速、エンジン回転数、ブースト値、水温、油圧、燃費等を取得する。
【００３３】
メータ画像生成部１１７は、メータ画像を生成する。具体的には、図３に示すように、目盛り盤ＤＢ２４０から、表示すべきメータサイズ２４１の目盛り盤画像２４５を取得し、その上に、警戒ゾーン画像取得部１１５で取得した警戒ゾーン画像２１２を重ねる。なお、表示するメータサイズに応じて、警戒ゾーン画像２１２のサイズを拡大縮小して、目盛り盤画像２４５のサイズを合わせて重ねる。また、目盛り値３０２を付加する。そして、さらに、得られた画像に、測定値取得部１１６により取得された測定値に応じて生成した測定値指示画像３０３を重ねる処理を行う。
【００３４】
メータ画像生成部１１７は、測定値取得部１１６により取得された測定値に基づいて、背景画像との境界３０６が測定値３０５に位置するように、測定値指示画像３０３を生成する。
【００３５】
測定値指示画像３０３は、所定の幅を備えた円弧状の画像である。測定値の増加に伴い、目盛り値の最小値の位置から時計回りに、その中心角が増大する。したがって、メータ画像生成部１１７は、扇形の測定値指示画像３０３の中心角を、下記式：
（中心角）＝（目盛り盤の中心角θａ）・｛（測定値）−（目盛り盤全体の目盛り値の最小値）／｛（目盛り盤全体の目盛り値の最大値）−（目盛り盤全体の目盛り値の最小値）｝
により求める。
【００３６】
図１に戻って、表示処理部１１８は、メータ画像生成部１１７で生成されたメータ画像を表示装置１４０に表示する処理を行う。
【００３７】
次に、上記のように構成される車載機のメータ画像表示処理について説明する。
【００３８】
図６は、メータ画像表示処理のフロー図である。
【００３９】
なお、主制御部１１１は、予めユーザから、表示すべきメータの種類、その表示サイズについて入力装置１２０を介して指示を受け付けているものとする。
【００４０】
また、画像領域特定テーブル生成部１１３は、電源投入後に、画像領域特定テーブル２２０を生成し、記憶装置１３０に格納しているものとする。
【００４１】
まず、メータ種類設定部１１２は、主制御部１１１の指示に従って、表示すべきメータの種類及びそのサイズを設定する（Ｓ１０１）。
【００４２】
次に、警戒ゾーン範囲特定部１１４は、メータ情報ＤＢ２３０を検索して、表示すべきメータの種類２３１に対応する、警戒ゾーンの角度範囲２３４を特定する（Ｓ１０２）。なお、警戒ゾーンの角度範囲２３４が格納されていない場合は、上述した手順により、目盛り盤ＤＢ２４０から、設定されたメータサイズに対応する、目盛り盤の中心角２４７（例えば、２４０°）と、目盛り開始角２４６とを取得し、メータ情報ＤＢ２３０から、目盛り盤全体の目盛り値範囲（最小値、最大値）２３２と、警戒ゾーンの目盛り値範囲（最小値、最大値）２３３と、取得し、これらの値から、警戒ゾーンの角度範囲を算出する。
【００４３】
次に、警戒ゾーン画像取得部１１５は、警戒ゾーン範囲特定部１１４で特定された角度範囲と、画像領域特定テーブル２２０とに基づいて、警戒ゾーン画像テンプレート２１０から、描画に用いる警戒ゾーン画像を取得する（Ｓ１０３）。具体的には、画像領域特定テーブル２２０を参照して、警戒ゾーン範囲特定部１１４で特定された角度範囲の最小値から最大値に含まれる角度値の画像上の領域を特定する。そして、警戒ゾーン画像テンプレート２１０の中から、特定した領域に含まれる画像を、表示すべき警戒ゾーン画像２１２として取得する（図３、図４参照）。
【００４４】
次に、メータ画像生成部１１７は、メータ画像を生成する（Ｓ１０４）。具体的には、測定値取得部１１６により取得された測定値に基づいて、測定値指示画像３０３を生成する。そして、目盛り盤ＤＢ２４０から、表示すべきメータの目盛り盤画像２４５を取得し、その上に、警戒ゾーン画像取得部１１５で取得した警戒ゾーン画像２１２と、測定値指示画像３０３を重ね、メータ画像３００を生成する（図３参照）。
【００４５】
なお、メータ画像生成部１１７は、目盛り盤画像２４５に、目盛り値３０２を付加する。そのため、メータ画像生成部１１７は、図７に示すように、目盛り角度（目盛り値が付された位置の角度）２５２と、目盛り値２５３を対応つけた目盛り値対応テーブル２５０を作成する。目盛り盤画像２４５の目盛りは、目盛り盤の中心角θａ（例えば、２４０°）に対して、所定の間隔で付されている。メータ画像生成部１１７は、各目盛り３０１に付加すべき目盛り値３０２を、図７に示す算出式で求めることができる。
【００４６】
すなわち、メータ画像生成部１１７は、目盛り盤ＤＢ２４０から、表示すべきメータの目盛り盤画像２４５を取得し、その上に、警戒ゾーン画像取得部１１５で取得した警戒ゾーン画像２１２と、目盛り値３０２とを描画した画像２４８を生成し、さらに、測定値指示画像３０３を重ね、メータ画像３００を生成する（図３参照）。
【００４７】
表示処理部１１８は、こうして生成されたメータ画像３００を、図８に示すように、表示装置１４０に表示する（Ｓ１０５）。
【００４８】
そして、メータ画像生成部１１７は、更新タイミングを監視し（Ｓ１０６）、更新タイミングがくると、Ｓ１０４に戻って処理を繰り返す。これにより、リアルタイムに測定値が表示される。
【００４９】
なお、更新頻度は、メータの種類ごとに予め定められている。または、測定値を監視し、測定値に変更があった場合にのみ、更新タイミングであると判定してもよい。
【００５０】
また、一旦、目盛り盤画像２４５と警戒ゾーン画像２１２と目盛り値３０２とからなるメータ画像を生成した後は、変更されるのは、測定値指示画像３０３のみである。したがって、メータ画像生成部１１７は、一旦、目盛り盤画像２４５と警戒ゾーン画像２１２と目盛り値３０２とからなるメータ画像２４８（図３参照）を生成した場合、メモリに記憶させておく。そして、測定値が変更された場合、測定値指示画像３０３のみ書き換えて、メータ画像３００を生成する。
【００５１】
以上、図６のメータ画像表示処理のフローについて説明した。
【００５２】
なお、複数のメータが表示することもできる。かかる場合、メータ画像生成処理は、各メータの種類ごとに、行われる。そして、表示処理部１１８は、図９に示すように、複数のメータ画像３００、３３０を同一画面に表示する。
【００５３】
また、図９に示すように、複数のメータ画像を同時に表示する場合に、メータサイズの異なる（目盛り盤の中心角が異なる）メータ画像を同時に表示してもよい。複数のメータ画像を表示する場合、１つのメータ画像を小さく表示する必要がある。そこで、複数のメータ画像を同時に表示する場合、メータ種類設定部１１２は、表示するように要求されたメータごとに、メータサイズを調整する。例えば、２つのメータを表示する場合、１つのメータのサイズを「大」にして、他方を「中」にする。
【００５４】
以上、本発明の一実施形態について説明した。
【００５５】
上記実施形態によれば、メータの種類によって警告ゾーンの配置が異なる場合でも、それぞれのメータの種類のメータ画像を記憶しておく必要がない。したがって、記憶装置に対する画像記憶容量を低減することができる。また、警告ゾーン画像テンプレートから描画に用いる警告ゾーン画像を切り抜くために用いる、画像領域特定テーブルは、一旦生成しておけば、全てのメータ画像の生成に用いることができる。したがって、メータ画像の生成の際の処理の迅速化が図られる。
【００５６】
本発明は、上記実施形態に制限されず、さまざまな変形が可能である。
【００５７】
例えば、１つの目盛り盤に描画する警告ゾーンは、１つに限定されない。複数配置されてもよい。かかる場合、メータ情報２３０の警告ゾーンの目盛り値範囲２３３や角度範囲２３４には、複数の警告ゾーンに対応した複数の目盛り値範囲、角度範囲が格納される。そして、メータ画像生成処理では、警告ゾーンの角度範囲特定処理Ｓ１０２や、警告ゾーン画像取得処理Ｓ１０３等を、複数の警告ゾーンについて行う。また、メータ画像生成処理Ｓ１０４では、複数の警告ゾーンを描画する場合、その配色を互いに異ならせることができる。かかる場合でも、警告画像テンプレートは、１つ記憶されていればよい。
【００５８】
また、本発明の車載機は、車載用ナビゲーション装置と一体に構成されていてもよい。
【図面の簡単な説明】
【００５９】
【図１】本発明の一実施形態が適用された車載機の概略構成図である。
【図２】目盛り盤ＤＢの構成を示す図である。
【図３】メータ画像生成手順を示す図である。
【図４】画像領域特定テーブルの構成を示す図である。
【図５】メータ情報ＤＢの構成を示す図である。
【図６】メータ画像表示処理のフロー図である。
【図７】目盛り値対応テーブルの構成を示す図である。
【図８】メータ画像の表示例を示す図である。
【図９】メータ画像の表示例を示す図である。
【符号の説明】
【００６０】
１００・・・車載機、
１１０・・・演算装置、１２０・・・入力装置、１３０・・・記憶装置、１４０・・・表示装置、
１１１・・・主制御部、１１２・・・メータ種類設定部、１１３・・・画像領域特定テーブル、１１４・・・警戒ゾーン範囲特定部、１１５・・・警戒ゾーン画像取得部、１１６・・・測定値取得部、１１７・・・メータ画像生成部、１１８・・・表示処理部、
２１０・・・警戒ゾーン画像テンプレート、２２０・・・画像領域特定テーブル、２３０・・・メータ情報ＤＢ、２４０・・・目盛り盤ＤＢ
【図１】
2009101749.tif 000003
【図２】
2009101749.tif 000004
【図３】
2009101749.tif 000005
【図４】
2009101749.tif 000006
【図５】
2009101749.tif 000007
【図６】
2009101749.tif 000008
【図７】
2009101749.tif 000009
【図８】
2009101749.tif 000010
【図９】
2009101749.tif 000011